【手続補正書】
【提出日】平成18年6月13日(2006.6.13)
【手続補正１】
【補正対象書類名】特許請求の範囲
【補正対象項目名】全文
【補正方法】変更
【補正の内容】
【特許請求の範囲】
【請求項１】
割り当てられたデータを収め、当該データを流し込むべき部分表示領域をページ上にレイアウトする情報処理装置における情報処理方法であって、
前記部分表示領域をページ内の規範位置に配置する比較データと、当該部分表示領域に割り当てられる複数の保存データとを比較して、指定された抽出条件に一致するデータを抽出する抽出工程と、
前記抽出工程により抽出されたデータを前記部分表示領域に割り当てて、当該部分表示領域のページ内における第１レイアウトを、前記比較データに基づく第２レイアウトと共に組み合せて表示する表示制御工程と、
前記第１レイアウトに対する修正を反映させて、前記規範位置に基づく前記第２レイアウトを修正して表示するレイアウト制御工程とを備えることを特徴とする情報処理方法。
【請求項２】
前記抽出工程は、前記複数の保存データのうち、前記比較データと一定の差異を有するデータを抽出する第１検索工程を有することを特徴とする請求項１に記載の情報処理方法。
【請求項３】
前記抽出工程は、前記第１検索工程の結果、または、保存されたデータと、前記抽出条件とに従って、前記第１レイアウトを生成するための前記データを抽出する第２検索工程を有することを特徴とする請求項２に記載の情報処理方法。
【請求項４】
前記抽出工程は、前記比較データに基づくレイアウト結果と、前記部分表示領域に割り当てられる複数の保存データに基づくレイアウト結果との差異を定量化して、前記データを抽出することを特徴とする請求項１乃至３のいずれか１項に記載の情報処理方法。
【請求項５】
前記定量化には、前記データのレイアウトに基づくサイズの差、前記部分表示領域の位置情報に基づく中心点の距離、当該部分表示領域の面積比率が含まれることを特徴とする請求項４に記載の情報処理方法。
【請求項６】
前記抽出条件には、前記定量化の指定、前記第１レイアウトを生成するために抽出する前記データの数、割り当てられるデータが空のデータである場合は、当該データを当該定量化の計算に含めるか否かの指定が含まれることを特徴とする請求項１乃至５のいずれか１項に記載の情報処理方法。
【請求項７】
前記抽出工程は、前記面積比率による定量化を行う場合において、前記割り当てられるデータが空のデータについては、当該定量化から除外することができることを特徴とする請求項６に記載の情報処理方法。
【請求項８】
割り当てられたデータを収め、当該データを流し込むべき部分表示領域をページ上にレイアウトする情報処理装置であって、
前記部分表示領域をページ内の規範位置に配置する比較データと、当該部分表示領域に割り当てられる複数の保存データとを比較して、指定された抽出条件に一致するデータを抽出する抽出手段と、
前記抽出手段により抽出されたデータを前記部分表示領域に割り当てて、当該部分表示領域のページ内における第1レイアウトを、前記比較データに基づく第２レイアウトと共に組み合せて表示する表示制御手段と、
前記第１レイアウトに対する修正を反映させて、前記規範位置に基づく前記第２レイアウトを修正して表示するレイアウト制御手段とを備えることを特徴とする情報処理装置。
【請求項９】
前記抽出手段は、前記複数の保存データのうち、前記比較データと一定の差異を有するデータを抽出する第１検索手段を有することを特徴とする請求項８に記載の情報処理装置。
【請求項１０】
前記抽出手段は、前記第１検索手段の結果、または、保存されたデータと、前記抽出条件とに従って、前記第１レイアウトを生成するための前記データを抽出する第２検索手段を有することを特徴とする請求項９に記載の情報処理装置。
【請求項１１】
前記抽出手段は、前記比較データに基づくレイアウト結果と、前記部分表示領域に割り当てられる複数の保存データに基づくレイアウト結果との差異を定量化して、前記データを抽出することを特徴とする請求項８乃至１０のいずれか１項に記載の情報処理装置。
【請求項１２】
前記定量化には、前記データのレイアウトに基づくサイズの差、前記部分表示領域の位置情報に基づく中心点の距離、当該部分表示領域の面積比率が含まれることを特徴とする請求項１１に記載の情報処理装置。
【請求項１３】
前記抽出条件には、前記定量化の指定、前記第１レイアウトを生成するために抽出する前記データの数、割り当てられるデータが空のデータである場合は、当該データを前記定量化の計算に含めるか否かの指定が含まれることを特徴とする請求項８乃至１２のいずれか１項に記載の情報処理装置。
【請求項１４】
前記抽出手段は、前記面積比率による定量化を行う場合において、前記割り当てられるデータが空のデータについては、当該定量化から除外することができることを特徴とする請求項１３に記載の情報処理装置。
【請求項１５】
割り当てられたデータを収め、当該データを流し込むべき部分表示領域をページ上にレイアウトする情報処理をコンピュータに実行させるコンピュータ読み取り可能なプログラムであって、当該プログラムが、コンピュータを、
前記部分表示領域をページ内の規範位置に配置する比較データと、当該部分表示領域に割り当てられる複数の保存データとを比較して、指定された抽出条件に一致するデータを抽出する抽出手段と、
前記抽出手段により抽出されたデータを前記部分表示領域に割り当てて、当該部分表示領域のページ内における第1レイアウトを、前記比較データに基づく第２レイアウトと共に組み合せて表示する表示制御手段と、
前記第１レイアウトに対する修正を反映させて、前記規範位置に基づく前記第２レイアウトを修正して表示するレイアウト制御手段として機能させることを特徴とするプログラム。
【請求項１６】
前記抽出手段は、前記複数の保存データのうち、前記比較データと一定の差異を有するデータを抽出する第１検索処理を前記コンピュータに実行させることを特徴とする請求項１５に記載のプログラム。
【請求項１７】
前記抽出手段は、前記第１検索処理の結果、または、保存されたデータと、前記抽出条件とに従って、前記第１レイアウトを生成するための前記データを抽出する第２検索処理を前記コンピュータに実行させることを特徴とする請求項１６に記載のプログラム。
【請求項１８】
前記抽出手段は、前記比較データに基づくレイアウト結果と、前記部分表示領域に割り当てられる複数の保存データに基づくレイアウト結果との差異を定量化して、前記データを抽出する処理を前記コンピュータに実行させることを特徴とする請求項１５乃至は１７のいずれか１項に記載のプログラム。
【請求項１９】
前記定量化には、前記データのレイアウトに基づくサイズの差、前記部分表示領域の位置情報に基づく中心点の距離、当該部分表示領域の面積比率が含まれることを特徴とする請求項１８に記載のプログラム。
【請求項２０】
前記抽出条件には、前記定量化の指定、前記第１レイアウトを生成するために抽出する前記データの数、割り当てられるデータが空のデータである場合は、当該データを前記定量化の計算に含めるか否かの指定が含まれることを特徴とする請求項１５乃至１９のいずれか１項に記載のプログラム。
【請求項２１】
前記抽出手段は、前記面積比率による定量化を行う場合において、前記割り当てられるデータが空のデータについては、当該定量化から除外する処理を前記コンピュータに実行させることを特徴とする請求項２０に記載のプログラム。
【請求項２２】
割り当てられたデータを収め、当該データを流し込むべき部分表示領域をページ上にレイアウトし、当該データに応じて前記レイアウトを動的に変更可能な情報処理装置においてレイアウト結果をチェックする情報処理方法であって、
前記レイアウト結果のチェックにおいて基準となる比較データと、当該部分表示領域に割り当てられる複数のデータとを比較して、第１抽出条件に一致するデータを抽出する第１抽出工程と、
前記第１抽出工程により抽出されたデータを前記部分表示領域に割り当てて、当該部分表示領域のページ内におけるレイアウトの結果と、前記レイアウト用に部分表示領域を配置したテンプレートとを比較して、第２抽出条件に一致するデータを抽出する第２抽出工程と、
前記第２抽出工程によって抽出された当該データに基づくレイアウト結果を表示する表示制御工程とを有することを特徴とする情報処理方法。
【請求項２３】
割り当てられたデータを収めるための部分表示領域を配置してテンプレートを作成する作成工程と、
前記作成工程によって作成されたテンプレートに配置されている部分表示領域に入力されるデータに従って、当該データに基づくレイアウト結果を決定するレイアウト決定工程と、
前記作成工程によって作成されたテンプレートと、前記レイアウト決定工程によって決定された複数のレイアウト結果とを用いて、表示すべきレイアウトを決定する表示レイアウト決定工程と、
前記表示レイアウト決定工程によって決定されたレイアウト結果を表示する表示制御工程とを有することを特徴とする情報処理方法。
【請求項２４】
前記表示レイアウト決定工程は、前記テンプレートにおける部分表示領域のサイズまたは位置と、前記レイアウト決定工程によって決定されたレイアウト結果における部分表示領域のサイズまたは位置との比較結果に従って表示すべきレイアウト結果を決定することを特徴とする請求項２３に記載の情報処理方法。
【請求項２５】
割り当てられたデータを収め、当該データを流し込むべき部分表示領域をページ上にレイアウトし、当該データに応じて前記レイアウトを動的に変更可能な情報処理装置においてレイアウト結果をチェックする情報処理装置であって、
前記レイアウト結果のチェックにおいて基準となる比較データと、当該部分表示領域に割り当てられる複数のデータとを比較して、第１抽出条件に一致するデータを抽出する第１抽出手段と、
前記第１抽出手段により抽出されたデータを前記部分表示領域に割り当てて、当該部分表示領域のページ内におけるレイアウトの結果と、前記レイアウト用に部分表示領域を配置したテンプレートとを比較して、第２抽出条件に一致するデータを抽出する第２抽出手段と、
前記第２抽出手段によって抽出された当該データに基づくレイアウト結果を表示する表示制御手段とを有することを特徴とする情報処理装置。
【請求項２６】
割り当てられたデータを収めるための部分表示領域を配置してテンプレートを作成する作成手段と、
前記作成手段によって作成されたテンプレートに配置されている部分表示領域に入力されるデータに従って、当該データに基づくレイアウト結果を決定するレイアウト決定手段と、
前記作成手段によって作成されたテンプレートと、前記レイアウト決定手段によって決定された複数のレイアウト結果とを用いて、表示すべきレイアウトを決定する表示レイアウト決定手段と、
前記表示レイアウト決定手段によって決定されたレイアウト結果を表示する表示制御手段とを有することを特徴とする情報処理装置。
【請求項２７】
前記表示レイアウト決定手段は、前記テンプレートにおける部分表示領域のサイズまたは位置と、前記レイアウト決定手段によって決定されたレイアウト結果における部分表示領域のサイズまたは位置との比較結果に従って表示すべきレイアウト結果を決定することを特徴とする請求項２６に記載の情報処理装置。
【請求項２８】
割り当てられたデータを収め、当該データを流し込むべき部分表示領域をページ上にレイアウトし、当該データに応じて前記レイアウトを動的に変更可能な情報処理装置においてレイアウト結果をチェックする情報処理をコンピュータに実行させるコンピュータ読み取り可能なプログラムであって、当該プログラムが、コンピュータを、
前記レイアウト結果のチェックにおいて基準となる比較データと、当該部分表示領域に割り当てられる複数のデータとを比較して、第１抽出条件に一致するデータを抽出する第１抽出手段と、
前記第１抽出手段により抽出されたデータを前記部分表示領域に割り当てて、当該部分表示領域のページ内におけるレイアウトの結果と、前記レイアウト用に部分表示領域を配置したテンプレートとを比較して、第２抽出条件に一致するデータを抽出する第２抽出手段と、
前記第２抽出手段によって抽出された当該データに基づくレイアウト結果を表示する表示制御手段として機能させることを特徴とするプログラム。
【請求項２９】
情報処理をコンピュータに実行させるコンピュータ読み取り可能なプログラムであって、当該プログラムが、コンピュータを、
割り当てられたデータを収めるための部分表示領域を配置してテンプレートを作成する作成手段と、
前記作成手段によって作成されたテンプレートに配置されている部分表示領域に入力されるデータに従って、当該データに基づくレイアウト結果を決定するレイアウト決定手段と、
前記作成手段によって作成されたテンプレートと、前記レイアウト決定手段によって決定された複数のレイアウト結果とを用いて、表示すべきレイアウトを決定する表示レイアウト決定手段と、
前記表示レイアウト決定手段によって決定されたレイアウト結果を表示する表示制御手段として機能させることを特徴とするプログラム。
【請求項３０】
前記表示レイアウト決定手段は、前記テンプレートにおける部分表示領域のサイズまたは位置と、前記レイアウト決定手段によって決定されたレイアウト結果における部分表示領域のサイズまたは位置との比較結果に従って表示すべきレイアウト結果を決定することを特徴とする請求項２９に記載のプログラム。
【手続補正２】
【補正対象書類名】明細書
【補正対象項目名】０００８
【補正方法】変更
【補正の内容】
【０００８】
上記の課題を解決するための本発明にかかる、割り当てられたデータを収め、当該データを流し込むべき部分表示領域をページ上にレイアウトする情報処理装置における情報処理方法は、
前記部分表示領域をページ内の規範位置に配置する比較データと、当該部分表示領域に割り当てられる複数の保存データとを比較して、指定された抽出条件に一致するデータを抽出する抽出工程と、
前記抽出工程により抽出されたデータを前記部分表示領域に割り当てて、当該部分表示領域のページ内における第１レイアウトを、前記比較データに基づく第２レイアウトと共に組み合せて表示する表示制御工程と、
前記第１レイアウトに対する修正を反映させて、前記規範位置に基づく前記第２レイアウトを修正して表示するレイアウト制御工程とを備えることを特徴とする。
【手続補正３】
【補正対象書類名】明細書
【補正対象項目名】０００９
【補正方法】変更
【補正の内容】
【０００９】
あるいは、上記の課題を解決するための本発明にかかる、割り当てられたデータを収め、当該データを流し込むべき部分表示領域をページ上にレイアウトする情報処理装置は、
前記部分表示領域をページ内の規範位置に配置する比較データと、当該部分表示領域に割り当てられる複数の保存データとを比較して、指定された抽出条件に一致するデータを抽出する抽出手段と、
前記抽出手段により抽出されたデータを前記部分表示領域に割り当てて、当該部分表示領域のページ内における第1レイアウトを、前記比較データに基づく第２レイアウトと共に組み合せて表示する表示制御手段と、
前記第１レイアウトに対する修正を反映させて、前記規範位置に基づく前記第２レイアウトを修正して表示するレイアウト制御手段とを備えることを特徴とする。
【手続補正４】
【補正対象書類名】明細書
【補正対象項目名】００１０
【補正方法】変更
【補正の内容】
【００１０】
あるいは、割り当てられたデータを収め、当該データを流し込むべき部分表示領域をページ上にレイアウトする情報処理をコンピュータに実行させるコンピュータ読み取り可能なプログラムであって、当該プログラムが、コンピュータを、
前記部分表示領域をページ内の規範位置に配置する比較データと、当該部分表示領域に割り当てられる複数の保存データとを比較して、指定された抽出条件に一致するデータを抽出する抽出手段と、
前記抽出手段により抽出されたデータを前記部分表示領域に割り当てて、当該部分表示領域のページ内における第1レイアウトを、前記比較データに基づく第２レイアウトと共に組み合せて表示する表示制御手段と、
前記第１レイアウトに対する修正を反映させて、前記規範位置に基づく前記第２レイアウトを修正して表示するレイアウト制御手段として機能させることを特徴とする。